【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
プロセス制御デバイスに用いられる装置であって、
アクチュエータレバーと、
前記アクチュエータレバーに結合されるコレットと、
前記アクチュエータレバーまたは前記コレットのうちの少なくとも一つに着脱可能に結合されるコレットツールとを備えており、
前記コレットツールが、前記アクチュエータレバーから前記コレットを切り離すために、前記アクチュエータレバー、前記コレット、弁シャフトまたは中間構造体のうちの少なくとも一つに対して力を加えるように構成されてなる、装置。
【請求項２】
前記アクチュエータレバーが第１ボアホールおよび第２ボアホールを有しており、前記コレットツールが、第３ボアホールおよび第４ボアホールを有している板部材と、前記第１ボアホールおよび前記第３ボアホールと係合する第１スタッドと、前記第２ボアホールおよび前記第４ボアホールと係合する第２スタッドとを有してなる、請求項１に記載の装置。
【請求項３】
前記第１スタッドおよび前記第２スタッドが回転するとき、前記板部材が前記コレットおよび前記アクチュエータレバーを切り離すように構成されてなる、請求項２に記載の装置。
【請求項４】
前記アクチュエータレバーのうちの少なくとも一部が雄ネジ山を有しており、前記コレットツールがＵ字形の断面を有しており、前記コレットツールのうちの一部が雌ネジ山を有してなる、請求項１乃至３のうちいずれか一の項に記載の装置。
【請求項５】
前記コレットツールの前記雌ネジ山が、前記アクチュエータレバーの前記雄ネジ山と係合するように配置されており、このことにより、前記コレットツールが前記コレットと接触し、前記コレットと前記アクチュエータレバーとを切り離すように構成されてなる、請求項４に記載の装置。
【請求項６】
少なくとも、前記コレットのうちの一部が雄ネジ山を有しており、前記コレットツールのうちの一部が雌ネジ山を有してなる、請求項１乃至５のうちいずれか一の項に記載の装置。
【請求項７】
前記コレットツールの前記雌ネジ山が前記コレットの前記雄ネジ山と係合することにより、前記コレットおよび前記アクチュエータレバーの切り離しを可能とするように構成されてなる、請求項６に記載の装置。
【請求項８】
前記コレットツールが弁シャフト取り出し部材を有しており、前記コレットのうちの少なくとも一部が雌ネジ山を有しており、前記弁シャフト取り出し部材のうちの少なくとも一部が雄ネジ山を有してなる、請求項１に記載の装置。
【請求項９】
前記弁シャフト取り出し部材の前記雄ネジ山が前記コレットの前記雌ネジ山と係合し、このことにより、前記弁シャフト取り出し部材に、前記コレットと係合させ、弁シャフトに接触させ、該弁シャフトを前記コレットから離れさせるように構成されてなる、請求項８に記載の装置。
【請求項１０】
前記中間構造体が、前記アクチュエータレバーの内部に配設されることに加えて、第１ボアホールおよび第２ボアホールを有しており、前記第１ボアホールおよび前記第２ボアホールが雌ネジ山を有し、前記コレットが前記第１ボアホールと係合し、前記コレットツールが前記第２ボアホールと係合してなる、請求項１に記載の装置。
【請求項１１】
前記中間構造体が、前記アクチュエータレバーに対して回転可能となっており、回転することで、前記コレットおよび前記アクチュエータレバーを結合または切り離すように構成されてなる、請求項１０に記載の装置。
【請求項１２】
前記中間構造体が前記コレットツールにより回転されるように構成されてなる、請求項１１に記載の装置。
【請求項１３】
前記中間構造体が、スペーサによって前記アクチュエータレバーの長手方向の軸に沿って平行移動しないように構成されてなる、請求項１２に記載の装置。
【請求項１４】
前記アクチュエータレバーのうちの少なくとも一部が雌ネジ山を有しており、前記中間構造体が、貫通するボアホールを有する板部を備えており、前記コレットのうちの少なくとも一部が雄ネジ山を有しており、前記コレットツールのうちの少なくとも一部が雌ネジ山を有しており、前記コレットツールのうちの少なくとも一部が雄ネジ山を有しており、前記コレットが前記アクチュエータレバーに結合されるとき、前記コレットのうちの一部が、前記中間構造体の前記ボアホールを横断するように構成されてなる、請求項１に記載の装置。
【請求項１５】
前記コレットツールは、該コレットツールの前記雄ネジ山が前記アクチュエータレバーの前記雌ネジ山と係合するような第１位置に合うように配置され、前記コレットツールが回転すると、該コレットツールが前記コレットと係合して前記コレットおよび前記アクチュエータレバーを切り離すよう前記コレットツールを前記レバーの中に引き込むように構成されてなる、請求項１４に記載の装置。
【請求項１６】
前記コレットツールは、前記コレットツールの前記雌ネジ山が前記コレットの前記雄ネジ山と係合するような第２位置に合うように配置され、前記コレットツールが回転すると、前記コレットおよび前記アクチュエータレバーを結合するよう前記コレットツールを前記レバーの中に引き込むように構成されてなる、請求項１５に記載の装置。
【請求項１７】
前記第１位置と前記第２位置とが約１８０度離れている、請求項１６に記載の装置。
【請求項１８】
前記中間構造体が前記アクチュエータレバーと一体になっている、請求項１４に記載の装置。
【請求項１９】
前記プロセス制御デバイスの動作中、前記コレットツールが前記アクチュエータレバー内に格納されてなる、請求項１４に記載の装置。
【請求項２０】
コレットをアクチュエータレバーに設置するまたは取り出すためのツールであって、
ツール本体と、
アクチュエータレバーまたはコレットのうちの少なくとも一つに前記ツールを着脱可能に結合するための、複数の雌ネジ山、複数の雄ネジ山または板部材のうちの少なくとも一つとを備えており、
前記ツールが、前記コレットを前記アクチュエータレバー内に設置するまたは前記アクチュエータレバーから取り出すために、前記コレット、弁シャフトまたは中間構造体のうちの少なくとも一つに対して力を加えるように構成されてなる、ツール。 
【請求項２１】
前記ツールが、前記コレットを前記アクチュエータレバー内に設置するまたは前記アクチュエータレバーを取り出すために、前記中間構造体を前記アクチュエータレバーに対して回転させるように構成されてなる、請求項２０に記載のツール。
【請求項２２】
前記ツールは、該ツールの前記複数の雄ネジ山のうちの少なくとも一部が前記アクチュエータレバーの複数の雌ネジ山のうちの一部と係合するような第１位置に合うように配置され、前記ツールが回転すると、該ツールが前記コレットと係合して該コレットを前記アクチュエータレバーから取り出すよう前記ツールを前記アクチュエータレバーの中に引き込むように構成されてなる、請求項２０に記載のツール。
【請求項２３】
前記ツールが少なくとも一つのほぼ平坦な面を有してなる、請求項２２に記載のツール。
【請求項２４】
前記ツールは、前記ツールの前記複数の雌ネジ山のうちの少なくとも一部が前記コレットの複数の雄ネジ山のうちの一部と係合するような第２位置に向くように配置され、前記ツールが回転すると、前記コレットを前記アクチュエータレバー内に設置するように前記コレットを前記アクチュエータレバー内に設置するように構成されてなる、請求項２２に記載のツール。
【請求項２５】
前記第１位置と前記第２位置とが約１８０度離れている、請求項２４に記載のツール。
【請求項２６】
プロセス制御デバイス内のレバーにコレットを設置するまたは前記レバーから前記コレットを取り出すための手段であって、
前記レバーまたは前記コレットのうちの少なくとも一つにコレットツールを着脱可能に結合するための手段と、
前記コレットを前記レバー内に設置するまたは前記レバーから取り出すために、前記レバー、前記コレット、弁シャフまたは中間構造体のうちの少なくとも一つに前記コレットツールを介して力を加えるための手段と
を備えてなる、手段。
【請求項２７】
前記コレットツールに加えられる力が回転力である、請求項２６に記載の手段。
【請求項２８】
前記コレットツールに加えられる力が線形の力である、請求項２６に記載の手段。
【請求項２９】
前記レバーまたは前記コレットのうちの少なくとも一つにコレットツールを着脱可能に結合するための手段が、前記レバーまたは前記コレットのうちの少なくとも一つと係合させるために、板部を前記コレットツールに係合させることを含んでなる、請求項２６に記載の手段。
【請求項３０】
前記レバーまたは前記コレットのうちの少なくとも一つにコレットツールを着脱可能に結合するための手段が、前記コレットの複数の雌ネジ山または雄ネジ山を前記レバーの複数の雌ネジ山または雄ネジ山と係合させることを含んでなる、請求項２６に記載の手段。